(57)【特許請求の範囲】
【請求項１】
手差しトレイに載置された用紙を画像形成部に搬送する手差し給紙部と、前記用紙の搬送方向と直交する幅方向のサイズを検知するサイズ検知部とを備え、印刷出力サイズの指定情報を含む印刷データに基づいて用紙上に画像形成を行う画像形成装置であって、
前記印刷データを取得する印刷データ取得部と、
前記取得された印刷データの幅方向及び搬送方向の印刷出力サイズのいずれかと前記サイズ検知部で検知された用紙の幅方向のサイズとの一致を判定するサイズ判定部と、
前記サイズ判定部が一致したと判定したとき、前記印刷出力サイズの印刷を行わせるために前記手差し給紙部に前記用紙の搬送を行わせる給紙制御部とを備え、
前記画像形成部は、前記給紙制御部の制御により前記手差し給紙部から搬送される用紙のサイズを、前記印刷データの印刷出力サイズと同一サイズであるとみなして前記印刷データに基づいた画像形成を行うと共に、前記同一サイズであるとみなした前記用紙のサイズにより課金処理を行う、
ことを特徴とする画像形成装置。
【請求項２】
請求項１記載の画像形成装置であって、
前記サイズ判定部が不一致と判定したとき、前記給紙制御部は、サイズミスマッチエラーにより前記用紙の搬送を停止させる、
ことを特徴とする画像形成装置。
【請求項３】
請求項１又は２に記載の画像形成装置であって、
前記サイズ判定部が不一致と判定したとき、サイズミスマッチエラーが生じた旨を表示部に表示させる表示制御部を備えた、
ことを特徴とする画像形成装置。
【請求項４】
請求項１〜３のいずれか一項に記載の画像形成装置であって、
前記給紙制御部による前記用紙の搬送中に用紙サイズを計測するサイズ計測部と、
前記サイズ計測部で計測された用紙サイズが前記印刷データの印刷出力サイズと比べて小さいか否かに基づきサイズエラーの判定を行うサイズ判定部と、を備え、
前記サイズ判定部がサイズエラーと判定したとき、前記給紙制御部は、サイズエラーにより前記印刷データに基づいて印刷途中の用紙を排出させる、
ことを特徴とする画像形成装置。
【請求項５】
請求項１〜３のいずれか一項に記載の画像形成装置であって、
前記給紙制御部による前記用紙の搬送中に用紙サイズを計測するサイズ計測部と、
前記サイズ計測部で計測された用紙サイズが前記印刷データの印刷出力サイズと比べて小さい場合にサイズエラーの判定を行うサイズ判定部とを備え、
前記給紙制御部は、前記サイズ判定部でのサイズエラーの判定により印刷を中止する、
ことを特徴とする画像形成装置。
【請求項６】
請求項１〜５のいずれか一項に記載の画像形成装置であって、
前記サイズ判定部が一致したと判定したとき、前記用紙のサイズ確認をユーザーに操作指示させるための確認画面を表示部に表示させる表示制御部を備え、
前記給紙制御部は、前記ユーザーによる操作指示を待って前記手差し給紙部に前記用紙の搬送を行わせる、
ことを特徴とする画像形成装置。
【請求項７】
請求項１〜６のいずれか一項に記載の画像形成装置であって、
前記用紙の幅方向のサイズと前記取得された印刷データの搬送方向の印刷出力サイズとが一致している場合に前記印刷データの回転処理を実行する画像処理部を備えた、
ことを特徴とする画像形成装置。
【発明の詳細な説明】
【技術分野】
【０００１】
本発明は、手差しトレイに載置された用紙を画像形成部に搬送する手差し給紙部を備えた画像形成装置に関する。
【背景技術】
【０００２】
従来、手差しトレイに載置された用紙を画像形成部に搬送する手差し給紙部を備えた画像形成装置が知られている。
【０００３】
かかる画像形成装置の手差し給紙部では、手差し給紙された用紙の搬送方向と直交する幅方向のサイズを検知するサイズ検知部を有し、この用紙の搬送方向のサイズを検知する手段を有しないものがある（例えば特許文献１参照）。
【０００４】
この種の画像形成装置では、印刷出力サイズとして例えばＡ４横指定の印刷データが送られてきた場合、手差し給紙部に置かれている用紙の搬送方向サイズがわからないため、この時の最大サイズであるＡ３縦用紙が給紙されるとみなして動作してしまう。
【０００５】
従って、ユーザーの意図とは異なるサイズで印刷出力がなされるおそれがあった。
【先行技術文献】
【特許文献】
【０００６】
【特許文献１】特開平９−２４０８５７号公報
【発明の概要】
【発明が解決しようとする課題】
【０００７】
発明が解決しようとする課題は、ユーザーの意図とは異なるサイズで印刷出力がなされるおそれがあった点である。
【課題を解決するための手段】
【０００８】
本発明は、ユーザーの意図とは異なるサイズでの印刷出力を可及的に抑制可能な画像形成装置を得ることを目的として、手差しトレイに載置された用紙を画像形成部に搬送する手差し給紙部と、前記用紙の搬送方向と直交する幅方向のサイズを検知するサイズ検知部とを備え、印刷出力サイズの指定情報を含む印刷データに基づいて用紙上に画像形成を行う画像形成装置であって、前記印刷データを取得する印刷データ取得部と、前記取得された印刷データの幅方向及び搬送方向の印刷出力サイズのいずれかと前記サイズ検知部で検知された用紙の幅方向のサイズとの一致を判定するサイズ判定部と、前記サイズ判定部が一致したと判定したとき、前記印刷出力サイズの印刷を行わせるために前記手差し給紙部に前記用紙の搬送を行わせる給紙制御部とを備え、前記画像形成部は、前記給紙制御部の制御により前記手差し給紙部から搬送される用紙のサイズを、前記印刷データの印刷出力サイズと同一サイズであるとみなして前記印刷データに基づいた画像形成を行うと共に、前記同一サイズであるとみなした前記用紙のサイズにより課金処理を行うことを最も主要な特徴とする。
【発明の効果】
【０００９】
本発明に係る画像形成装置によれば、サイズミスマッチの発生機会を大幅に減らすことができるため、ユーザーの意図とは異なるサイズでの印刷出力を可及的に抑制することができる。
【図面の簡単な説明】
【００１０】
【図１】本発明実施例に係る画像形成装置（デジタル複合機）の外観を示す斜視図である。
【図２】デジタル複合機の概略構成を示す機能ブロック図である。
【図３】デジタル複合機の動作フローチャート図である。
【図４】デジタル複合機の動作フローチャート図である。
【発明を実施するための形態】
【００１１】
ユーザーの意図とは異なるサイズでの印刷出力を可及的に抑制するといった目的を、印刷データの幅方向及び搬送方向の印刷出力サイズのいずれかとサイズ検知部で検知された用紙の幅方向のサイズとが一致したとき、手差し給紙部に用紙の搬送を行わせる給紙制御部によって実現した。
【実施例】
【００１２】
以下、本発明実施例に係る画像形成装置について、デジタル複合機を例示して、図面を参照して詳細に説明する。
［デジタル複合機の概略構成］
図１は、本発明実施例に係る画像形成装置（デジタル複合機）の外観を示す斜視図、図２は、デジタル複合機の概略構成を示す機能ブロック図である。
【００１３】
本発明実施例に係るデジタル複合機１は、本体正面から引き出し・収納可能な複数段の給紙カセット３ａ，３ｂ、本体右側面から開閉可能な手差しトレイ５、印刷済み用紙を受ける排紙トレイ７、及び本体前カバー９などを備える。
【００１４】
デジタル複合機１は、コピー、印刷出力、ファクシミリ通信、又はデータ送信（スキャナ部２１で読み取られた画像データを、メール等によりネットワーク経由でユーザー端末６５等へ送信する機能などの各種機能が利用可能であり、主制御部１１によって制御される。
【００１５】
主制御部１１に接続され諸機能を担う入出力機器として、デジタル複合機１は、図２に示すように、スキャナ部２１、画像処理部３１、画像形成部４１、給紙装置４３、操作パネル部５１、及びネットワーク通信部（ＮＩＣ）６１を備える。
【００１６】
スキャナ部２１は、原稿から画像を読み取り、読み取った画像に対応する画像データを画像形成部４１に出力する。
【００１７】
画像処理部３１は、スキャナ部２１で読み取られるか或いはユーザー端末６５から送信されてきた画像データに回転等の所要の処理を施し、処理後の画像データを不図示の画像メモリに記憶し、若しくは画像形成部４１等へ出力する。
【００１８】
画像形成部４１は、スキャナ部２１で読み取られるか或いはユーザー端末６５から送信されてきた印刷データに基づいて用紙上に画像を形成する。
【００１９】
給紙装置４３は、給紙カセット群３ａ，３ｂと、サイズ検知センサ４５と、手差し給紙部４７と、レジストセンサ４９とを備える。
【００２０】
手差し給紙部４５は、手差しトレイ５に載置された用紙を画像形成部４１に搬送する。
【００２１】
本発明のサイズ検知部としての役割を果たすサイズ検知センサ４７は、手差しトレイ５に載置された用紙の搬送方向と直交する幅方向のサイズを検知する。ただし、本デジタル複写機１は、手差しトレイ５に載置されている用紙の搬送方向サイズを検知する手段を有していない。
【００２２】
レジストセンサ４９は、手差しトレイ５からレジストローラー（不図示）まで一次給紙されてきた用紙の到着を検出する他、二次給紙開始スタートのタイミングに合わせて用紙の通過期間中オン動作し、用紙検知信号をサイズ計測部７７に出力する。レジストセンサ４９は、搬送方向の用紙サイズを計測する際に用いられる。
【００２３】
操作パネル部５１は、図２に示すように、タッチパネルユニット５３及び操作キーユニット５５を有する。操作パネル部５１は、ユーザーがデジタル複合機１の各種機能等の設定・選択操作を行う際に用いられ、ユーザーによる選択操作の内容を主制御部１１に与える。
【００２４】
本発明において表示部として機能するタッチパネルユニット５３は、タッチパネルとカラーＬＣＤ（Liquid Crystal Display）等から構成される。タッチパネルユニット５３は、サイズミスマッチが発生したときエラー情報を表示する際等に用いられる。
【００２５】
操作キーユニット５５は、ユーザーの操作入力を受付けるための複数の操作キーを備えている。
【００２６】
ＮＩＣ６１は、ＬＡＮ等の通信網６３を介して接続されたクライアントＰＣ等の複数のユーザー端末６５−１，６５−２，６５−３・・・に対する種々のデータの送受信を制御する。
【００２７】
主制御部１１は、情報処理機能を有するコンピューターであり、ＣＰＵ（Central Processing Unit）、ＲＯＭ（Read Only Memory）及びＲＡＭ（Random Access Memory）を備える。
【００２８】
ＣＰＵは、プログラムの記述に従う処理を順次実行する演算処理装置である。ＲＯＭは、プログラム等を記憶する不揮発性のメモリである。ＲＡＭは、プログラムを実行する際にそのプログラムや各種データを一時的に記憶して、作業領域として用いるメモリである。
【００２９】
主制御部１１は、デジタル複合機１の動作を制御するプログラムを実行することによって、印刷データ取得部７１、サイズ判定部７３、給紙制御部７５、サイズ計測部７７及び表示制御部７９として機能する。
【００３０】
印刷データ取得部７１は、スキャナ部２１で読み取られるか或いはユーザー端末６５から送信されてきた印刷データを取得する。この印刷データには、サイズ指定情報が付加されている。サイズ指定情報とは、印刷データを印刷出力する際のサイズを指定するための情報であり、例えば、”Ｂ５”や”Ａ４”などの定型サイズの態様で表される。
【００３１】
サイズ判定部７３は、印刷データ取得部７１で取得した印刷データの幅方向及び搬送方向の印刷出力サイズのいずれかとサイズ検知センサ４７で検知された用紙の幅方向のサイズとが一致したか否かを判定する。また、サイズ判定部７３は、サイズ計測部７７で計測された用紙サイズが印刷データの印刷出力サイズと比べて小さいか否かに基づきサイズエラーの判定を行う。
【００３２】
給紙制御部７５は、サイズ判定部７３が一致したと判定したとき、手差し給紙部４５に前記用紙の搬送を行わせる。また、給紙制御部７５は、サイズ判定部７３がサイズエラーと判定したとき、サイズエラーにより印刷データに基づいて印刷途中の用紙を排出させるように動作する。さらに、給紙制御部７５は、ユーザーによる操作指示を待って手差し給紙部４５に用紙の搬送を行わせる。
【００３３】
サイズ計測部７７は、レジストセンサ３９の用紙検知信号に基づき、レジストローラから二次給紙される用紙の搬送方向サイズを計測する。具体的には、サイズ計測部７７は、レジストセンサ３９の用紙検出信号を内部タイマーで計時し、二次給紙された用紙の搬送方向サイズを計測する。
【００３４】
用紙の搬送方向サイズは、例えばＢ６，Ａ５，Ｂ５，Ａ４，Ｂ４，Ａ３などの各定型サイズ毎に異なっている。従って、搬送方向の用紙サイズを計測することで、搬送中の用紙サイズをリアルタイムで取得することができる。なお、レジストセンサ４９とサイズ計測部７７とは、本発明のサイズ計測部に相当する。
【００３５】
表示制御部７９は、サイズ判定部７３が不一致と判定したとき、サイズミスマッチエラーが生じた旨をタッチパネルユニット５３に表示させる。また、表示制御部７９は、サイズ判定部７３が一致したと判定したとき、用紙のサイズ確認をユーザーに操作指示させるための確認画面をタッチパネルユニット５３に表示させる。
【００３６】
［実施例に係る画像形成装置の動作］
次に、デジタル複合機１の動作について、ユーザー端末６５から送信されてきた印刷データに基づく画像形成を実行するため、手差しトレイ５から用紙を手差し給紙させる例をあげて、図３，図４を参照して説明する。
【００３７】
図３は、実施例に係るデジタル複合機の動作フローチャート図、図４（Ａ），（Ｂ）は、同デジタル複合機の動作フローチャート図である。
【００３８】
はじめに、あるユーザーがユーザー端末６５−１からデジタル複合機１宛に印刷データを送信することにより、印刷ジョブの実行指令を行ったとする。
【００３９】
これを受けて、印刷データ取得部７１は、図３に示すように、ＬＡＮ６３及びＮＩＣ６１を介してユーザー端末６５−１から印刷データを取得する（ステップＳ１１）。
【００４０】
次いで、主制御部１１は、給紙カセット群３ａ，３ｂに収容されている用紙のサイズ情報（例えば、給紙カセット３ａには”Ａ４”サイズの用紙が横置きされ、給紙カセット３ｂには”Ａ３”サイズの用紙が縦置きされている。）を参照し、ステップＳ１１で取得した印刷データの印刷出力サイズ（例えば、”Ｂ５”サイズ）と一致するサイズの用紙が収容された給紙カセットがあるか否かに係る判定を行う（ステップＳ１２）。
【００４１】
ステップＳ１２の判定の結果、仮に、一致するサイズの用紙が収容された給紙カセットがあると判定されたとき、主制御部１１は、図４（Ａ）に示すように、対応する給紙カセットの用紙を搬送して通常の画像形成処理を実行させ、同処理の実行後に、全ての処理の流れを終了させる。
【００４２】
一方、ステップＳ１２の判定の結果、前記実施例の通り、印刷データの印刷出力サイズは”Ｂ５”サイズであり、一致するサイズの用紙が収容された給紙カセットがないと判定されたとき、主制御部１１は、手差しトレイ５が自動サイズ検知モードに設定されているか否かに係る判定を行う（ステップＳ１３）。
【００４３】
ステップＳ１３の判定の結果、手差しトレイ５が自動サイズ検知モードに設定されていないと判定されたとき、主制御部１１は、図４（Ｂ）に示すように、ミスマッチエラー処理を実行する（ステップＳ３１）。
【００４４】
すなわち、給紙制御部７５は、サイズミスマッチエラーにより用紙の搬送を停止させる。これにより、仮に手差しトレイ５に用紙が置かれていても、この用紙は搬送されることなくそのままの状態が維持される。また、表示制御部７９は、サイズミスマッチエラーが生じた旨をタッチパネルユニット５３に表示させる。これらのミスマッチエラー処理後に、主制御部１１は、全ての処理の流れを終了させる。
【００４５】
一方、ステップＳ１３の判定の結果、手差しトレイ５が自動サイズ検知モードに設定されていると判定されたとき、主制御部１１は、ユーザーによる手差しトレイ５への用紙のセットを待つ。
【００４６】
手差しトレイ５に用紙がセットされると（ステップＳ１４）、サイズ検知センサ４７は、セットされた用紙の幅方向サイズを検知し（ステップＳ１５）、検知したサイズをサイズ判定部７３宛に送る。
【００４７】
これを受けて、サイズ判定部７３は、ステップＳ１１で取得した印刷データの幅方向及び搬送方向の印刷出力サイズのいずれかとステップＳ１５で検知された用紙の幅方向のサイズとが一致したか否かを判定する（ステップＳ１６）。
【００４８】
ステップＳ１６の判定の結果、サイズ判定部７３が不一致と判定したとき、主制御部１１は、前述したステップＳ３１のサイズミスマッチエラー処理を実行させ、同処理の実行後に、全ての処理の流れを終了させる。
【００４９】
一方、ステップＳ１６の判定の結果、サイズ判定部７３が一致したと判定したとき、表示制御部７９は、用紙のサイズ確認をユーザーに操作指示させるための確認画面をタッチパネルユニット５３に表示させて、ユーザーによる操作指示を待つ（ステップＳ１７）。
【００５０】
具体的には、例えば、用紙の候補サイズとして”Ｂ５”を提示し、これでよいか否かをユーザーの操作指示によって確認させるようにする。また、用紙の候補サイズとして”Ｂ５”と”Ｂ４”とを択一的に提示し、いずれか一方をユーザーに操作指示させるように構成してもよい。
【００５１】
このようにすれば、手差し給紙による印刷に先立ってユーザーに用紙のサイズが適正か否かを確認させることができるため、ユーザーの意図とは異なるサイズで印刷出力がなされることを一掃することができる。
【００５２】
ただし、ステップＳ１７の処理ステップを省略することができる。この場合、ステップＳ１６が”Ｙｅｓ”の場合、ステップＳ１８の処理が実行されることになる。
【００５３】
ステップＳ１７の待機中にユーザーによる操作指示があったときは、サイズ判定部７３によって、用紙の幅方向のサイズと印刷データの搬送方向の印刷出力サイズとが一致するか否かを判断する。（ステップＳ１８）。
【００５４】
一致する場合（Ｙｅｓ）は、印刷データの回転処理を実行する（ステップＳ１９）。すなわち、画像処理部３１は、印刷データを回転させて印刷データの幅方向のサイズと用紙の幅方向のサイズとを一致させる。
【００５５】
この回転処理後又はステップＳ１８の不一致（Ｎｏ）の場合は、用紙の搬送処理が行われる（ステップＳ２０）。すなわち、給紙制御部７５は、手差し給紙部４５にステップＳ１４でセットされた用紙の搬送を行わせる。つまり、給紙制御部７５は、ユーザーによる操作指示を待って手差し給紙部４５に用紙の搬送を行わせる。
【００５６】
用紙の搬送中には、サイズ計測部７７による用紙サイズ計測が行われる。計測された用紙サイズは、サイズ判定部７３によって、印刷データの印刷出力サイズと比べて小さいか否かが判定される（ステップＳ２１）。
【００５７】
これにより、小さいと判定された場合（Ｙｅｓ）は、サイズエラーにより印刷ジョブを中止又は停止させ（ステップＳ２２）、全ての処理が終了する（エンド）。なお、停止の場合は、印刷ジョブのリトライを行うことが可能となる。また、中止又は停止の際には、印刷途中の用紙を排紙トレイ７に排出させる。
【００５８】
一方、小さくないと判定された場合（Ｎｏ）は、これを受けて、画像形成部４１は、ステップＳ１１で取得した印刷データに基づいて用紙上に画像形成処理を実行（ステップＳ２３）した後、全ての処理の流れを終了させる（エンド）。
【００５９】
ステップＳ２３の画像形成処理は、例えば次のように実行される。すなわち、ステップＳ１５のサイズ検知によって、手差しトレイ５にＢ４短辺サイズ（Ｂ５長辺サイズ）の用紙がセットされていることが検知され、かつ、印刷データの印刷出力サイズが”Ｂ５”サイズの場合、用紙はＢ５サイズであるとみなして、その搬送及び画像形成処理を行う。
【００６０】
このとき、主制御部１１は、手差しトレイ５にセットされている用紙を一意に特定することはできないが、この用紙のサイズがＢ５又はＢ４のいずれかであることは特定することができる。
【００６１】
ここで、印刷データの印刷出力サイズが”Ｂ５”サイズであるということは、手差しトレイ５に”Ｂ５”サイズの用紙がセットされている可能性が高いと考えられる。
【００６２】
そこで、こうした場合には、印刷出力サイズと用紙サイズの完全一致に代えて、幅方向及び搬送方向の印刷出力サイズのいずれかと、用紙の幅方向のサイズとの部分一致をチェックし、この部分一致の成立を条件として、印刷出力サイズと同一サイズの用紙が手差しトレイ５にセットされているとみなして以降の処理を行うこととした。
【００６３】
このように、印刷出力サイズ（実施例では”Ｂ５”サイズ）と同一のサイズの用紙が手差しトレイ５にセットされているとみなして搬送及び画像形成処理を行うため、ステップＳ１９のように必要に応じて画像処理部３１で画像の回転処理を実施することができ、画像切れが生じることはない。
【００６４】
仮に、手差しトレイ５に”Ｂ４”サイズの用紙がセットされていた場合、幅方向のサイズは合っているため画像切れを生じることはない。また、”Ｂ４”サイズの用紙のうち半分に画像が形成されるので、この用紙を半分に切ればユーザーの意図した通りの”Ｂ５”サイズの印刷出力が得られる。
【００６５】
［実施例の効果］
本実施例に係る画像形成装置（デジタル複合機１）では、ステップＳ１１で取得した印刷データの幅方向及び搬送方向の印刷出力サイズのいずれかとステップＳ１５で検知された用紙の幅方向のサイズとが一致したと判定されたとき、印刷出力サイズと同一サイズの用紙が手差しトレイ５にセットされているとみなして、ステップＳ１４でセットされた用紙の搬送を手差し給紙部４５に行わせると共に、前記取得した印刷データに基づいて前記用紙上に画像形成処理を実行させる構成を採用した。
【００６６】
従って、サイズミスマッチの発生機会を大幅に減らすことができるため、ユーザーの意図とは異なるサイズでの印刷出力を可及的に抑制することができる。
【００６７】
従来技術では、例えば、手差しトレイ５にＢ４短辺サイズ（Ｂ５長辺サイズ）の用紙がセット（Ｂ５横置き）されていることが検知された場合、最大サイズであるＢ４縦サイズが給紙されるとみなして画像形成処理を行っていた。
【００６８】
このため、例えば、Ｂ４サイズの課金料金がＢ５サイズの課金料金の倍に設定されている場合、ユーザーはＢ５サイズでの印刷出力を意図していたのに対し、実際には、ユーザーの意図に沿わないＢ４サイズで印刷出力され、しかも、その課金料金も意図していたものよりも高くなるという不具合が生じていた。
【００６９】
この点、本実施例に係る画像形成装置（デジタル複合機１）によれば、上記の課金料金設定の場合、ユーザーの意図に合ったＢ５サイズで印刷出力され、その課金料金もユーザーの期待通りとなるため、顧客満足度を向上することができる。
【００７０】
また、仮に、ユーザーの意図に沿わないＢ４サイズで印刷出力されたとしても、この場合の課金の基礎となる用紙サイズを、ユーザーの意図に合った印刷出力サイズ（Ｂ５サイズ）とする運用を行えばよい。このようにすれば、実際の印刷出力サイズがユーザーの意図に合ったサイズか否かにかかわらず、ユーザーの意図に合ったサイズを基礎として課金料金が計算される。従って、課金料金の側面での顧客満足度を向上することができる。
【００７１】
また、手差し給紙される用紙のサイズを、印刷データの印刷出力サイズと検知された用紙の幅方向のサイズとに基づいて確定することができるため、両面、自動倍率、仕分け、ステープル、綴じ代、ブック枠消し、集約等の印刷機能の制限を解除することができる。
【００７２】
さらに、サイズ判定部７３が不一致と判定したとき、すなわち、手差しトレイ５にセットされた用紙のサイズが印刷データの印刷出力サイズとは全く異なる（部分一致もない）場合には、給紙制御部７５は、サイズミスマッチエラーにより用紙の搬送を停止させる構成を採用した。
【００７３】
従って、ユーザーの意図とは異なるサイズでの印刷出力を未然に回避することができる。
【００７４】
また、サイズミスマッチエラーの場合に、サイズミスマッチエラーが生じた旨をタッチパネルユニット５３に表示させる構成を採用した。
【００７５】
従って、ユーザーは、サイズミスマッチエラーが生じた旨を視覚を通じて認識することができるため、適切なサイズの用紙を再セットする等の措置を採ることができる。
【００７６】
さらに、手差し給紙部４５による一次給紙がなされた後に、給紙制御部７５による用紙の搬送中に用紙サイズを計測するサイズ計測部７７と、サイズ計測部７７で計測された用紙サイズが印刷データの印刷出力サイズと比べて小さいか否かに基づきサイズエラーの判定を行うサイズ判定部７３と、を備え、サイズ判定部７３がサイズエラーと判定したとき、給紙制御部７５は、サイズエラーにより印刷データに基づいて印刷途中の用紙を排紙トレイ７に排出させる構成を採用した。
【００７７】
要するに、一次給紙がなされた後に、実際の用紙サイズが印刷データの印刷出力サイズと比べて小さいことがわかった場合には、サイズエラーが生じたとみなして印刷途中の用紙を排紙トレイ７に排出させ、印刷ジョブを停止させることにより、印刷ジョブのリトライを実行可能にしている。
【００７８】
具体的には、例えば、印刷データの印刷出力サイズがＡ３であり、給紙トレイ５にＡ４Ｅサイズの用紙が置かれている場合には、Ａ３サイズの用紙が給紙されるものとして動作させる。一次給紙後に、用紙のサイズが小さい（Ａ４Ｅ）ことがわかった場合には、サイズエラーにより印刷ジョブを停止させ、印刷ジョブのリトライを実行可能にしている。これにより、画像切れを防止することができる。
【００７９】
さらに、サイズ判定部７３が一致したと判定したとき、すなわち、手差しトレイ５にセットされた用紙のサイズが印刷データの印刷出力サイズと部分一致（完全一致を含む）した場合には、用紙のサイズ確認をユーザーに操作指示させるための確認画面をタッチパネルユニット５３に表示させ、給紙制御部７５は、ユーザーによる操作指示を待って手差し給紙部４５に用紙の搬送を行わせる構成を採用した。
【００８０】
従って、手差し給紙による印刷に先立ってユーザーに用紙のサイズが適正か否かを確認させることができるため、ユーザーの意図とは異なるサイズで印刷出力がなされることを一掃することができる。
【００８１】
［その他］
本発明は、上述した実施例に限られるものではなく、請求の範囲及び明細書全体から読み取れる発明の要旨、あるいは技術思想に反しない範囲で適宜変更可能であり、そのような変更を伴う画像形成装置もまた、本発明における技術的範囲の射程に包含される。
【００８２】
すなわち、本発明の実施例中、手差しトレイ５にセットされる用紙のサイズとしてＢ５サイズを例示して説明したが、本発明はこの例に限定されず、いかなる定型サイズの用紙にも本発明を適用可能であることは言うまでもない。
【符号の説明】
【００８３】
１    デジタル複合機（画像形成装置）
３ａ，３ｂ  給紙カセット群
５  手差しトレイ
１１  主制御部
４１  画像形成部
４３  給紙装置
４５  手差し給紙部
４７  サイズ検知センサ（サイズ検知部）
４９  レジストセンサ（サイズ計測部）
５３  タッチパネルユニット（表示部）
７１  印刷データ取得部
７３  サイズ判定部
７５  給紙制御部
７７  サイズ計測部
７９  表示制御部
【図１】
0005562113.tif 000002
【図２】
0005562113.tif 000003
【図３】
0005562113.tif 000004
【図４】
0005562113.tif 000005